(57)【要約】【課題】  ＬＥＤ１つだけでも、着信があったことと充電中であることを報知可能な電話機を提供する。【解決手段】  充電が開始されるとＬＥＤを点灯し（Ｓ２ステップ）、充電中に着信があるとＬＥＤを点滅させる（Ｓ８ステップ）。ユーザがＬＥＤの点滅を見て着信があることを知り、着信に応答すると（Ｓ９ステップのＹ）、ＬＥＤを輝度を下げた光で発光させる（Ｓ１２ステップ）。【選択図】      図３
2008017283.tif 000002
【特許請求の範囲】
【請求項１】
着信の報知及び充電中か否かを報知する為の発光手段と、着信を検出する着信検出手段と、着信に応答する為の着信応答手段と、
前記着信検出手段が着信を検出すると、前記発光手段が点灯又は点滅により着信を報知し、当該着信検出中に前記着信応答手段により着信に応答しなかった際には、前記発光手段が、通常の輝度よりも低い輝度で発光することを特徴とする電話機。
【請求項２】
着信の報知及び充電中か否かを報知する為の発光手段と、着信を検出する着信検出手段と、着信に応答する為の着信応答手段と、
前記着信検出手段が着信を検出すると、前記発光手段が点滅により着信を報知し、当該着信検出中に前記着信応答手段により着信に応答しなかった際には、前記発光手段が、通常の輝度よりも低い輝度で発光することを特徴とする電話機。
【請求項３】
請求項１又は２に記載の電話機であり、
前記発光手段が低い輝度で発光している状態で、前記電話機が非充電状態となると、前記発光手段を通常の輝度で点滅させることを特徴とする電話機。
【請求項４】
着信の報知及び充電中か否かを報知する為の発光手段と、着信を検出する着信検出手段と、着信に応答する為の着信応答手段と、
前記発光手段が充電中であることを示す第１の点灯状態で点灯している際に、前記着信検出手段が着信を検出すると、前記発光手段の発光状態が、点灯から点滅へと変化し、当該着信検出中に前記着信応答手段により着信に応答しなかった場合には、着信終了後、前記発光手段が、前記第１の点灯状態よりも低い輝度である第２の点灯状態で点灯することを特徴とする電話機。
【請求項５】
請求項４に記載の電話機であり、
前記発光手段が低い輝度で発光している状態で、前記電話機が非充電状態となると、前記発光手段を通常の輝度で点滅させることを特徴とする電話機。
【発明の詳細な説明】
【技術分野】
【０００１】
本発明は、繰り返し充電可能な二次電池を搭載した電話機に関する。
【背景技術】
【０００２】
繰り返し充電可能な二次電池を搭載した電話機として、例えば携帯電話装置が挙げられる。このような携帯電話装置の二次電池を充電するには、携帯電話装置を専用の充電台に載置することにより充電を行うことが可能である。又、通常携帯電話装置には充電中であることを報知する為のＬＥＤが搭載されており、携帯電話装置を専用の充電台に載置し充電している際には、ＬＥＤが点灯することにより、携帯電話装置の二次電池が充電中であることをユーザに報知している。又、このように充電中であることを点灯により報知する技術は既に公知である（特許文献１）。
【特許文献１】特開平１０−４２４８２号公報（段落０００２〜段落０００６）
【発明の開示】
【発明が解決しようとする課題】
【０００３】
ところで、通常の携帯電話装置では、着信を報知する際にもＬＥＤを点灯或いは点滅させることにより報知しており、又、この着信報知用のＬＥＤと充電中であることを報知する為のＬＥＤとを兼用させているものが一般的であり、更には、従来の携帯電話装置では着信に応答しなかったら、所定時間毎にＬＥＤを点滅させ、着信があった旨を報知している。
【０００４】
このような携帯電話装置において、携帯電話装置を充電器に載置し充電が開始されるとこのＬＥＤが点灯するわけであるが、充電中に着信があると、ＬＥＤが点灯から点滅に変化する。更にユーザが着信に応答しなければ、ＬＥＤは所定時間毎にＬＥＤを点滅させ、ＬＥＤが点滅していない間は消灯状態となる。
【０００５】
この為、携帯電話装置を充電中に着信があり、ユーザがこの着信に応答しなければ、ＬＥＤが点滅を所定時間毎に繰り返すことになり、正常に充電されているか、或いは充電が完了したか否かは、ユーザには分からないといった問題が生じる。
【０００６】
このような問題を解決する為に、充電専用のＬＥＤと着信報知専用のＬＥＤの２つを設けることが容易に考えられるが、コスト高となるだけでなく、消費電力も大となり、更には高密度である携帯電話において追加するＬＥＤを配置するスペースを確保するのは困難である。
【課題を解決するための手段】
【０００７】
本願発明は、このような課題を解決する為のものであり、ＬＥＤを追加することなく、充電が完了したか否かということと、着信があったことをユーザに報知可能な電話機を提供するものである。
【０００８】
請求項１に記載の電話機は、着信の報知及び充電中か否かを報知する為の発光手段と、着信を検出する着信検出手段と、着信に応答する為の着信応答手段と、前記着信検出手段が着信を検出すると、前記発光手段が点灯又は点滅により着信を報知し、当該着信検出中に前記着信応答手段により着信に応答しなかった際には、前記発光手段が、通常の輝度よりも低い輝度で発光することを特徴とする。
請求項２に記載の電話機は、着信の報知及び充電中か否かを報知する為の発光手段と、着信を検出する着信検出手段と、着信に応答する為の着信応答手段と、前記着信検出手段が着信を検出すると、前記発光手段が点滅により着信を報知し、当該着信検出中に前記着信応答手段により着信に応答しなかった際には、前記発光手段が、通常の輝度よりも低い輝度で発光することを特徴とする。
請求項３に記載の電話機は、請求項１又は２に記載の電話機であり、前記発光手段が低い輝度で発光している状態で、前記電話機が非充電状態となると、前記発光手段を通常の輝度で点滅させることを特徴とする。
請求項４に記載の電話機は、着信の報知及び充電中か否かを報知する為の発光手段と、着信を検出する着信検出手段と、着信に応答する為の着信応答手段と、前記発光手段が充電中であることを示す第１の点灯状態で点灯している際に、前記着信検出手段が着信を検出すると、前記発光手段の発光状態が、点灯から点滅へと変化し、当該着信検出中に前記着信応答手段により着信に応答しなかった場合には、着信終了後、前記発光手段が、前記第１の点灯状態よりも低い輝度である第２の点灯状態で点灯することを特徴とする。
請求項５に記載の電話機は、請求項４に記載の電話機であり、前記発光手段が低い輝度で発光している状態で、前記電話機が非充電状態となると、前記発光手段を通常の輝度で点滅させることを特徴とする。
【発明の効果】
【０００９】
本発明では、ＬＥＤを追加することなく、充電が完了したか否か、或いは、着信がありその着信にユーザが応答しなかったことを、ユーザが知ることが可能である。
【００１０】
請求項１及び２記載の発明では、ＬＥＤを追加することなく、充電が完了したか否か、或いは、着信がありその着信にユーザが応答しなかったことを、ユーザが知ることが可能である。
【００１１】
又、請求項３記載の発明では、電話機が非充電状態となると、発光手段を通常の輝度で点滅させる為、ユーザに確実に、着信があったことを知らせることが可能であるだけでなく、充電が完了したことをユーザが知ることが可能である。
【００１２】
請求項４記載の発明では、ＬＥＤを追加することなく、充電が完了したか否か、或いは、着信がありその着信にユーザが応答しなかったことを、ユーザが知ることが可能である。
【００１３】
又、請求項５記載の発明では、電話機が非充電状態となると、発光手段を通常の輝度で点滅させる為、ユーザに確実に、着信があったことを知らせることが可能であるだけでなく、充電が完了したことをユーザが知ることが可能である。
【発明を実施するための最良の形態】
【００１４】
次に本発明を適用してなる実施例について説明する。図１に示すように、携帯電話装置１０は、アンテナ１６と接続された電話通信部１２を備えている。この電話通信部１２は、後述のベースバンド部１４からの信号をアンテナ１６を介して基地局へ発信し、あるいはアンテナ１６を介して基地局からの電波を受信する。
【００１５】
また、電話通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１６】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１７】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１８】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカとして使用可能であり、又、着信報知の鳴動用としても使用可能であり、更には、約１００ｄＢといった高音量のブザー音を鳴動する為にも使用可能である。このブザー音は例えば防犯ブザーとして使用される。
【００１９】
切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２０】
また、携帯電話装置１０は、ＧＰＳアンテナ５６と接続されたＧＰＳ通信部５８を備えている。ＧＰＳ通信部では、ＧＰＳアンテナ５６がとらえたＧＰＳ衛星からのＧＰＳデータ（例えば、ＧＰＳ衛星の航行スケジュールであるアルマナックデータや、ＧＰＳ衛星の詳細軌道のデータであるエフェメリスデータ等）を受信し、制御回路３６に出力する。制御回路３６は、受信したＧＰＳデータに基づいて携帯電話装置１０の現在の位置情報（以下、位置情報と称す）が算出される。
【００２１】
また、電話通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。
【００２２】
ＲＡＭ（Ｒａｎｄｕｍ  Ａｃｃｅｓｓ  Ｍｅｍｏｒｙ）４０には、電話帳情報、メールデータ等が格納されている。
【００２３】
制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、電源のオンオフを行う為の電源キー６４と、を有している。
【００２４】
又、制御回路３６には、ディスプレイ４２のバックライトである照明部４６が接続されている。
【００２５】
更に、制御回路３６には、ＬＥＤ６５が接続されており、このＬＥＤ６５は、図示しない２次電池が充電中であると点灯することにより充電中であることを報知し、非充電時における着信時には点滅することにより着信中であることを報知する。更に、着信に応答しなかった場合には、点滅を行うことにより、着信があったことをユーザに報知する。又、本実施例では、充電中に着信があり、ユーザが着信に応答しなかった場合には、ＬＥＤの輝度を通常のＬＥＤの点灯（或いは点滅）時の輝度よりも下げるものである。
【００２６】
充電回路６６は、充電器が接続されたか否かを検出する機能と、図示しない二次電池を充電する機能とを有する。
【００２７】
図２は本実施例装置が充電されている状態を示す斜視図である。図２において、本実施例装置である携帯電話装置１０は、アダプタ７０を介してコンセント８０と接続し充電可能である。又、携帯電話装置１０は、筐体を閉じた状態でも開いた状態でも見ることが可能なＬＥＤ６５を有している。
【００２８】
図３は本実施例装置の動作を示すフロー図である。このフロー図を用いて本実施例装置の動作を説明する。
【００２９】
図３のＳ１ステップにおいて、制御回路３６は、充電回路６６から充電が開始された（換言すれば、アダプタ７０を介してコンセント８０と接続された）ことを示す信号を検出すると、Ｓ２ステップへ処理を進める。
【００３０】
Ｓ２ステップでは、制御回路３６は、ＬＥＤ６５を点灯させ、Ｓ３ステップへ処理を進める。即ち、ＬＥＤ６５を点灯させることにより、現在充電中であることをユーザに報知する。
【００３１】
Ｓ３ステップでは、制御回路３６は、ベースバンド部１４から着信があることを示す信号を検出すると、Ｓ８ステップへ処理を進め、そうでなければ、Ｓ４ステップへ処理を進める。
【００３２】
Ｓ４ステップでは、制御回路３６は、充電回路６６から充電が中止された（換言すれば、アダプタ７０が携帯電話装置１０から抜かれた）ことを示す信号を検出するか、或いは、充電検出回路６６から満充電状態であることを示す信号を検出すると、Ｓ５ステップへ処理を進め、そうでなければ、Ｓ３ステップへ処理を戻す。
【００３３】
Ｓ５ステップでは、制御回路３６は、現在の装置の状態が着信通知状態（過去に着信があったが着信に応答しなかったことをＬＥＤ６５で報知している状態）であると判定すると、Ｓ６ステップへ処理を進め、そうでなければ、Ｓ７ステップへ処理を進める。
【００３４】
Ｓ６ステップでは、制御回路３６は、ＬＥＤ６５を点滅させ、Ｓ１ステップへ処理を戻す。
【００３５】
Ｓ７ステップでは、制御回路３６は、ＬＥＤ６５を消灯させ、Ｓ１ステップへ処理を戻す。
【００３６】
Ｓ８ステップでは、制御回路３６は、ＬＥＤ６５を点滅させ、Ｓ９ステップへ処理を進める。このように、ＬＥＤ６５を点滅させることにより、ユーザに着信があることを報知する。
【００３７】
Ｓ９ステップでは、制御回路３６は、ケーブル７０が携帯電話装置１０から外され、入力部４４から着信に応答する操作があると判定するＳ１０ステップへ処理を進め、そうでなければ、Ｓ１２ステップへ処理を進める。
【００３８】
Ｓ１０ステップでは、制御回路３６は、電話通信部１２、ベースバンド部１４、切換回路２２等を制御することにより相手先との通話路を確立し、通話が開始される。この通話が終了すると、Ｓ１１ステップへ処理を進める。
【００３９】
Ｓ１１ステップでは、制御回路３６は、ＬＥＤ６５を消灯させ、Ｓ１ステップへ処理を戻す。
【００４０】
Ｓ１２ステップでは、制御回路３６は、ＬＥＤ６５の輝度を通常の充電状態（例えばＳ２ステップにおけるＬＥＤ点灯時の輝度）よりも低い輝度にし、点灯させる。尚、この時、ＬＥＤ６５が、通常の充電状態よりも低い輝度で点灯することにより、現在充電途中であると共に着信がありその着信に応答しなかったものであるとユーザが知ることができる。
Ｓ１３ステップでは、制御回路３６は、入力部４４からキー操作があることを示す信号を検出すると、Ｓ１４ステップへ処理を進め、そうでなければ、Ｓ１５ステップへ処理を進める。
【００４１】
Ｓ１４ステップでは、制御回路３６は、ＬＥＤ６５を消灯させた後に、ＬＥＤを点灯させ、Ｓ１５ステップへ処理を進める。
める。
【００４２】
Ｓ１５ステップでは、制御回路３６は、充電回路６６から充電が中止された（換言すれば、アダプタ７０が携帯電話装置１０から抜かれた）ことを示す信号を検出するか、或いは、充電検出回路６６から満充電状態であることを示す信号を検出すると、Ｓ１６ステップへ処理を進め、そうでなければ、Ｓ３ステップへ処理を戻す。
【００４３】
Ｓ１６ステップでは、制御回路３６は、現在の装置の状態が着信通知状態（過去に着信があったが着信に応答しなかったことをＬＥＤ６５で報知している状態）であると判定すると、Ｓ１７ステップへ処理を進め、そうでなければ、Ｓ１８ステップへ処理を進める。
【００４４】
Ｓ１７ステップでは、制御回路３６は、ＬＥＤ６５を点滅させ、Ｓ１ステップへ処理を戻す。
【００４５】
Ｓ１８ステップでは、制御回路３６は、ＬＥＤ６５を消灯させ、Ｓ１ステップへ処理を戻す。
【００４６】
このように、本実施例装置では、充電中にはＬＥＤ６５が点灯し、充電中に着信がありユーザが着信に応答しなければ、ＬＥＤ６５が通常の充電状態よりも小さい輝度で点灯する為、ユーザは、充電中であり且つ過去に着信があり着信に応答しなかったことを知ることができる。
【００４７】
又、ＬＥＤ６５が小さい輝度で点灯中に、２次電池が満充電になったか或いはアダプタ７０が携帯電話装置１０から抜かれた場合には、ＬＥＤ６５は点灯状態から点滅状態に変わる。この為、ユーザがこのＬＥＤ６５の点滅を見ることにより、２次電池が満充電になり且つ過去に着信があり着信に応答しなかったことを知ることができる。
【００４８】
尚、本実施例の構成の変形例として以下の構成が考えられる。例えば、２次電池の充電状態を逐一監視する構成とし、充電中にＬＥＤ６５を小さい輝度で点灯している際に、満充電状態となるとＬＥＤが点滅に変化し、ＬＥＤの点滅動作中に２次電池の容量がある一定の容量以下になると、充電を再開すると共にＬＥＤの点滅動作を、輝度の低い点灯に変える構成としても良い。
【００４９】
又、本実施例装置では、携帯電話装置について実施したが、コードレス電話装置等の電話機においても実施可能である。
【００５０】
更に、本実施例では、着信があるとＬＥＤを点滅することにより着信を報知する構成としたが、ＬＥＤを点灯したままで着信の色を変化することにより着信を報知する構成としも良い。このような構成としても、着信終了後にＬＥＤの輝度が変化することにより充電中であると共に着信があったことをユーザが知ることが可能である。
【００５１】
又、本実施例では、携帯電話装置とケーブルとを接続して充電する構成としたが、携帯電話装置を充電器に載置することにより充電する構造でも同様に本実施例装置を実施することが可能である。
【図面の簡単な説明】
【００５２】
【図１】本実施例装置のブロック図である。
【図２】本実施例装置の斜視図である。
【図３】本実施例装置の動作を示すフロー図である。
【符号の説明】
【００５３】
１０      携帯電話装置
１２      電話通信部
３４      スピーカ
３６      制御回路
４０      ＲＡＭ
４２      ディスプレイ
４６      照明部
５８      ＧＰＳ通信部
６５      ＬＥＤ
６６      充電回路
７０      ケーブル
【図１】
2008017283.tif 000003
【図２】
2008017283.tif 000004
【図３】
2008017283.tif 000005